(57)【特許請求の範囲】
【請求項１】
殺虫剤と害虫誘引成分を含有した液状の害虫用防除剤を収容するとともに細長い管部を有して前記防除剤を吐出可能な吐出口を前記管部に備えた容積可変容器と、前記容積可変容器をセットされる本体とを有し、
前記本体は、前記容積可変容器をその一端部で押圧可能なように棒状に形成されるとともに、周方向の一部に軸方向に沿って延びるように一連の歯が設けられた押圧部材と、前記押圧部材の他端部に設けられて親指を掛けられる後方指掛け部と、前記後方指掛け部より前記容積可変容器側に配置されて親指以外の少なくともいずれかの指を掛けられる前方指掛け部と、前記押圧部材に回転可能に外嵌されるとともに、内周面に前記歯に係合する係合部が設けられたリング部材と、前記押圧部材の前記歯と前記リング部の前記係合部により構成されるロック機構と、を備え、
使用時に前記後方及び前方指掛け部に指を掛けて前記押圧部材によって前記容積可変容器を押圧することで前記吐出口から前記防除剤を細い隙間に注入でき、
且つ前記ロック機構によって前記押圧部材の軸方向の移動をロックしたり非ロックにしたりできるとともに前記押出部材に対して定量押出しを行うことのできる害虫用防除剤注入型処理器。
【請求項２】
前記容積可変容器が、圧縮変形可能な蛇腹部を有している請求項１に記載の害虫用防除剤注入型処理器。
【請求項３】
前記容積可変容器が、前記押圧部材によって押圧されるピストンを有している請求項１に記載の害虫用防除剤注入型処理器。
【請求項４】
前記容積可変容器からの害虫用防除剤の吐出量がわかるように表示手段が設けられている請求項１〜３のいずれかに記載の害虫用防除剤注入型処理器。
【請求項５】
前記前方指掛け部が、前記押圧部材の軸方向に対して交差する方向かつ前記押圧部材の軸方向を挟んで互いに反対方向に延びた第一部分と第二部分とを有している請求項１〜４のいずれかに記載の害虫用防除剤注入型処理器。
【請求項６】
前記害虫用防除剤が、ゲル状、ペースト状、ゼリー状のいずれかである請求項１〜５のいずれかに記載の害虫用防除剤注入型処理器。
【発明の詳細な説明】
【０００１】
【発明の属する技術分野】
本発明は、ゴキブリ、ワラジムシ、ムカデ、ヤスデ、ダンゴムシ、ゲジゲジ、蟻等の匍匐害虫およびハエ等の飛翔害虫用の防除剤処理器に関する。
【０００２】
【従来の技術】
従来、密閉袋に収容された害虫用防除剤を、使用時に密封袋から取り出して、害虫が出やすいところに配置している。
【０００３】
【発明が解決しようとする課題】
密封袋から防除剤を取り出して所定位置に配置するのは面倒であった。また、害虫は細い隙間等を通過する傾向があるが、そのような細い隙間に防除剤を配置するのは特に困難であった。また、いかに密封袋に保存されていても、経時的に毒餌剤等の防除剤が乾燥する傾向にあった。
本発明は、このような事情に鑑みてなされたもので、その目的は、簡単な構成でありながら、使いやすく、高い害虫防除効果を奏し、かつ害虫用防除剤を長期間にわたって安定的に保管できる害虫用防除剤処理器を提供することにある。
【０００４】
【課題を解決するための手段】
本発明の目的は、下記構成により達成される。
（１）殺虫剤と害虫誘引成分を含有した液状の害虫用防除剤を収容するとともに細長い管部を有して前記防除剤を吐出可能な吐出口を前記管部に備えた容積可変容器と、前記容積可変容器をセットされる本体とを有し、
前記本体は、前記容積可変容器をその一端部で押圧可能なように棒状に形成されるとともに、周方向の一部に軸方向に沿って延びるように一連の歯が設けられた押圧部材と、前記押圧部材の他端部に設けられて親指を掛けられる後方指掛け部と、前記後方指掛け部より前記容積可変容器側に配置されて親指以外の少なくともいずれかの指を掛けられる前方指掛け部と、前記押圧部材に回転可能に外嵌されるとともに、内周面に前記歯に係合する係合部が設けられたリング部材と、前記押圧部材の前記歯と前記リング部の前記係合部により構成されるロック機構と、を備え、
使用時に前記後方及び前方指掛け部に指を掛けて前記押圧部材によって前記容積可変容器を押圧することで前記吐出口から前記防除剤を細い隙間に注入でき、
且つ前記ロック機構によって前記押圧部材の軸方向の移動をロックしたり非ロックにしたりできるとともに前記押出部材に対して定量押出しを行うことのできる害虫用防除剤注入型処理器。
（２） 前記容積可変容器が、圧縮変形可能な蛇腹部を有している前記（１）に記載の害虫用防除剤注入型処理器。
（３） 前記容積可変容器が、前記押圧部材によって押圧されるピストンを有している前記（１）に記載の害虫用防除剤注入型処理器。
（４） 前記容積可変容器からの害虫用防除剤の吐出量がわかるように表示手段が設けられている前記（１）〜（３）のいずれかに記載の害虫用防除剤注入型処理器。
（５） 前記前方指掛け部が、前記押圧部材の軸方向に対して交差する方向かつ前記押圧部材の軸方向を挟んで互いに反対方向に延びた第一部分と第二部分とを有している前記（１）〜（４）のいずれかに記載の害虫用防除剤注入型処理器。
（６）前記害虫用防除剤が、ゲル状、ペースト状、ゼリー状のいずれかである（１）〜（５）のいずれかに記載の害虫用防除剤注入型処理器。
【０００５】
上記構成の害虫用防除剤注入型処理器（以下「防除剤処理器」ともいう）によれば、簡単な構成でありながら、使いやすく、防除剤を所定位置に片手で容易に供給できる。この防除剤処理器は、引き金を引くことで防除剤を吐出するのではなく、前方指掛け部に親指以外の指をかけて防除剤処理器を保持固定した状態で後方指掛け部を親指または手のひら（親指のつけ根付近）により前方へ押圧することで防除剤を吐出するようにすることで、構成を著しく簡素化している。また、後方指掛け部と前方指掛け部との間隔を所定範囲（６〜１２ｃｍ）とすることで、防除剤処理器を安定に保持して防除剤を吐出できるようにしている。容積可変容器からの害虫用防除剤の吐出量がわかるように表示手段が設けられていれば、一定量の防除剤を吐出させることができ、より使いやすくなる。容積可変容器が細長い管部を備え、その管部の先端に前記吐出口が設けられていれば、細い隙間等に防除剤を供給するのも容易に行える。吐出口の先端口径は、φ０．１〜５ｍｍとすることができる。例えば曲げることが可能なストローのように、管部の中間部に蛇腹部を設けるなどして、管部を自由に折り曲げ可能な形状としてもよい。押圧部材が誤って操作されないようにロック機構が設けられていれば、誤作動を防止でき、子供のいたずら等により防除剤が吐出されることもない。前方指掛け部が、押圧部材の軸方向に対して交差する方向かつ押圧部材の軸方向を挟んで互いに反対方向に延びた第一部分と第二部分とを有していれば、例えば第一部分に人差し指を掛け、第二部分に中指等を掛けることができ、防除剤処理器をより安定に保持できる。容積可変容器だけでも、同様に、内容物の防除剤を吐出させることは可能であるが、本発明のように容積可変容器を本体にセットすることで、より容易にかつ安全に防除剤の処理が可能となる。
【０００６】
防除剤の形態は、ゲル、ペースト、ゼリー、液体など、容積可変容器内に収容できる形態であればどのような形態であってもよい。すなわち、本発明でいう「液状」には、ゲル状、ペースト状、ゼリー状など粘性を有するものも含まれ、さらに粉体や細粒が入っているものも含まれる。また、防除剤の効能は、速効性であっても、遅効性であってもよい。防除剤が速効性である場合には、その防除剤を経口摂取した害虫またはこれに接触した害虫はその周囲で死に至る。防除剤が遅効性である場合には、害虫がその防除剤を巣に持ち帰れば、その持ち帰った防除剤を経口摂取した害虫またはこれに接触した害虫も防除することができる。
また、防除剤として、揮発性、昇華性のものを単独或いは併用してもよい。このような防除剤は、狭い密閉空間内へ注入することで、隅にひそんだ（例えば壁板の裏などにひそんだ）害虫を防除するのに有利である。
【０００７】
防除剤としては、例えば、ホウ酸、ホウ酸塩、アミジノヒドラゾン系殺虫剤をはじめ、有機リン系、カーバメート系、ピレスロイド系、オキサジアゾール系、フェニルピラゾール系などの殺虫剤が挙げられ、これらのなかから一種または二種以上を混合して用いられる。前記ホウ酸塩の具体例としては、例えば四ホウ酸ナトリウム（ホウ砂）、メタホウ酸ナトリウム、過ホウ酸ナトリウム、ホウ酸アンモニウム、ホウ酸カリウム、ホウ酸マグネシウムなどが挙げられ、また前記アミジノヒドラゾン系殺虫剤の具体例としては、例えばテトラヒドロ−５，５−ジメチル−２（ＩＨ）−ピリミジノイン｛３−［４−（トリフルオロメチル）フェニル］−１−｛２−［４−（トリフルオロメチル）フェニル］エテニル｝−２−プロペニリデン｝ヒドラゾンなどが挙げられる。さらに、上記以外の殺虫剤としては、フェニトロチオン、トリクロルホン、ピリダフェンチオン、ダイアジノン、フェンチオンなどの有機リン系殺虫剤、セビン、プロポクサーなどのカーバメート系殺虫剤、レスメトリン、ｄ−Ｔ８０−レスメトリン、フェノトリン、ペルメトリン、フタルスリン、ｄ−Ｔ８０−フタルスリン、シフェノトリン、シペルメトリン、フェンバレレート、エトフォンプロックス、プラレスリン、フェンフルスリン、トランスフルトリンなどのピレスロイド系殺虫剤、オキサジアゾール系殺虫剤のメトキサジアゾン、フィプロニル等のフェニルピラゾール系殺虫剤などが挙げられる。
【０００８】
害虫誘引成分としては、例えば、動植物エキス、カゼインなどの蛋白質類、繊維素粉、木粉、樹皮などの動植物粉末、トウモロコシ油、ヒマシ油、オリーブ油、大豆油、ナタネ油、ピーナッツ油、米ぬか油などの植物油、その他（３Ｓ，４Ｒ，６Ｅ，１０Ｚ）−３，４，７，１１−テトラメチル−トリデカ−６，１０−ジエナール、（Ｚ）−９−ヘキサデセナール、２，５−ジメチルピラジン、３−メチル−２，５−ジメチルピラジン、Ｚ，Ｅ−またはＥ，Ｅ−α−フラネセンなどの道しるべフェロモン、カプリル酸、カプロン酸、カプリン酸、ラウリル酸、オレイン酸などの有機酸、オクチルアルコール、ドデシルアルコール、オレインアルコールなどの高級アルコール類、トリエチルアミン、エチルアミンなどのアルキルアミン類、およびその塩類、オニオンフレーバー、ミルクフレーバー、バターフレーバー、ストロベリーフレーバー、コーヒーフレーバーなどの食品用フレーバーなどが挙げられる。
【０００９】
さらに、幼若ホルモン剤、摂食物質、酸化防止剤、防腐剤、誤食防止剤、着色剤などが用いられる。幼若ホルモン剤としては、例えば、メトプレン、ハイドロプレン、ピリプロキシフェンなどの昆虫幼若ホルモン剤、プレコセンなどの抗幼若ホルモン剤、エクダイソンなどの脱皮ホルモン剤などが挙げられる。摂食物質としては、例えば、小麦粉、米粉、米糖、とうもろこし粉などの穀粉、ポテトスターチ、コーンスターチなどのスターチ類、グラニュー糖、麦芽糖、アラビノース、ガラクトース、ラクトース、フルクトース、ソルビトール、廃糖蜜、蜂蜜などの糖類、および糖蜜類やグリセリンなどが挙げられる。酸化防止剤としては、例えば、２，６−ジ−タ−シャリ−ブチル−４−メチルフェノール、２，２−メチレンビス（４−メチル−６−ｔ−ブチル）フェノールなどのフェノール誘導体が挙げられる。防腐剤としては、例えば、ソルビン酸、ソルビン酸塩、パラオキシ安息香酸エステル類などが挙げられる。誤食防止剤としては、例えば、トウガラシ粉、トウガラシエッセンス、安息香酸デナトリウム、アセチル化蔗糖などが挙げられる。着色剤としては、例えば、赤色２号、赤色３号、赤色１０２号、赤色２０１号、黄色４号、黄色５号、青色１号、青色２号、カーボンブラックなどの色素、顔料が挙げられる。
【００１０】
【発明の実施の形態】
以下、本発明の実施形態を図面に基づいて詳しく説明する。図１に示す毒餌剤処理器１０は、害虫用防除剤を収容した容積可変容器１１を、本体１３にセットした状態で使用される。本体１３は、容積可変容器１１を収容する筒部１３ａと、筒部１３ａの後端に設けられた前方指掛け部１４とを備えている。ここでは、筒部１３ａと前方指掛け部１４とが一体成形されている。
筒部１３ａの前端には蓋部１３ｂが取外し可能に設けられている。蓋部１３ｂを筒部１３ａから取り外した状態で、筒部１３ａ内に容積可変容器１１をセットすることができる。筒部１３ａと容積可変容器１１とは、ともに透明ないし半透明にされており、中の防除剤を目視できるようになっている。
【００１１】
また本体１３は、前方指掛け部１４を貫通してその前端が筒部１３ａ内に突出され、その後端に後方指掛け部１６が設けられた棒状の押圧部材１５を備えている。押圧部材１５の前端には、容積可変容器１１の後端面を均一に押すための押圧板１５ａが設けられている。
後方指掛け部１６と前方指掛け部１４との間隔（押圧部材１５の軸方向に見た間隔）Ｌは、６〜１２ｃｍに設定される。
【００１２】
ここでは、前方指掛け部１４が、押圧部材１５の軸方向に対して交差する方向かつ押圧部材１５の軸方向を挟んで互いに反対方向に延びた（下方向、上方向に延びた）第一部分１４ａと第二部分１４ｂとを有している。第二部分１４ｂに、例えば人差し指を掛け、第一部分１４ａに、例えば中指、薬指、小指等を掛けることができる。
【００１３】
ここでは、押圧部材１５の周方向の一部に、軸方向に沿って延びるように一連の歯１５ｂが設けられている。また、前方指掛け部１４の後方側に隣接して、リング部材１８が回転可能に押圧部材１５に外嵌されている。リング部材１８の内周面には、押圧部材１５に設けられた歯１５ｂに係合する係合部（図示せず）が設けられており、リング部材１８を回転させてその係合部と歯１５ｂとを係合させたり係合を解除させたりすることで、押圧部材１５の軸方向の移動をロックしたり非ロックにしたりできる。すなわち、リング部材１８（の係合部）と押圧部材１５の歯１５ｂとが、ロック機構として機能する。この機構は、定量押出しにも有利である。
【００１４】
図２に容積可変容器１１を示す。容積可変容器１１は、蛇腹状の収容筒部１１ａと、収容筒部１１ａの前端に設けられた細長い管部１１ｂとを有している。ここでは、収容筒部１１と管部１１ｂとが同心に設けられている。管部１１ｂの先端に、収容筒部１１ａ内に収容された防除剤を吐出するための吐出口（図示せず）が設けられる。
収容筒部１１ａの後端面に押圧力Ｐが作用すると、収容筒部１１ａが圧縮変形され、収容筒部１１ａ内の防除剤が管部１１ｂを通って吐出口から吐出される。この時、収容筒部１１ａには弾性復元力が生じ、押圧力Ｐが解除されると、圧縮変形された収容筒部１１ａは元の形状に戻ろうとし、これにより図１に示した押圧部材１５が押し戻されるようにしてもよい。しかし、本実施形態のように、収容筒部１１ａが元の形状に戻らない構成であってもよい。
【００１５】
図中二点鎖線で示すように、管部１１ｂの先端にキャップ１２を設けることができる。また、キャップ１２の先端を鋭利形状にしておくことができる。使用前は、管部１１ｂの先端を密閉部にしておき、使用時に、キャップ１２を管部１１ｂから取り外すとともに、キャップ１２の鋭利な先端で密閉部に吐出口を形成するようにしてもよい。使用開始後に、キャップ１２で吐出口を適宜塞いでもよい。また、管部１１ｂを自由に折り曲げ可能に構成し、吐出口の向きを変えられるようにしてもよい。
【００１６】
容積可変容器として、図３に示すような注射器タイプのものを用いることもできる。図３に示す容積可変容器２１は、変形しない収容筒部２１ａの前端に吐出口が形成され、収容筒部２１ａの後端にピストン２３の前端が挿入されている。ピストン２３の後端が、図１に示した押圧部材１５の押圧板１５ａで押圧される。収容筒部２１ａは透明ないし半透明にされており、中の防除剤を目視できるようになっている。また、収容筒部２１ａの外周面には、防除剤の吐出量を知らせる表示手段としての目盛２２が設けられている。
図１に示したように、蛇腹タイプの容積可変容器１１を用いる場合も、例えば本体１３の筒部１３ａの外周面に目盛を設けることで、防除剤の吐出量を視認できるようになる。
【００１７】
図４に基づいて、本実施形態の使用方法を説明する。先ず、リング部材１８を回転させてロックを解除する。次に、前方指掛け部１４の第二部分１４ｂに人差し指を掛けるとともに第一部分１４ａに中指等を掛け、後方指掛け部１６に親指を掛ける。そして、前方指掛け部１４を支持点として、後方指掛け部１６を前方に押すことで、押圧部材１５の前端によって容積可変容器１１を圧縮変形させ、管部１１ｂ先端の吐出口から防除剤を吐出させることができる。
【００１８】
上記構成の毒餌剤処理器１０によれば、簡単な構成でありながら、使いやすく、防除剤を所定位置に容易に供給できる。また、後方指掛け部１６と前方指掛け部１４との間隔を所定範囲とし、かつ前方指掛け部１４に第一部分１４ａと第二部分１４ｂとを備えることで、毒餌剤処理器１０を安定に保持して毒餌剤を吐出できるようにしている。また、細長い管部１１ｂの先端に吐出口が設けられているので、細い隙間等に毒餌剤を供給するのも容易に行える。
【００１９】
【実施例】
<実施例１>
縦３９ｃｍ、横２９ｃｍ、高さ１８ｃｍの試験バットを用意した。試験バットには、供試虫として成虫のチャバネゴキブリを雌雄各２５頭放した。そして、シェルターと水容器を入れ、一日順化させた。その後、試験バットには、下記表１で示す処方で作成した製剤（ホウ酸、ヒドラメチルノン、フィプロニル）を各２ｇと動物用固形飼料（通常の飼育飼料）を１０ｃｍ間隔で配置した。
【００２０】
【表１】
0003844348.tif 000002
【００２１】
日毎の致死数をカウントして致死率を算出した。結果を図５に示す。フィプロニルは、１日目で致死率が１００％に到達した。ホウ酸は、３日目で致死率が１００％に到達した。ヒドラメチルノンは７日目に致死率が１００％に到達した。
【００２２】
<実施例２>
次に、下記表２で示す処方で作成した半生製剤及びジェル製剤（ともに２ｇづつ）を用いて、実施例１と同様な試験を行った。
【００２３】
【表２】
0003844348.tif 000003
【００２４】
本試験の結果を図６に示す。ジェル製剤は、１日目で致死率が１００％に到達した。半生製剤は、２日目で致死率が１００％に到達した。
【００２５】
上記のジェル製剤の処方は上記表２のものに限られない。例えば、下記表３に示す処方例１〜５で作成されたジェル製剤でも上記試験と同様の効果をえることができる。
【００２６】
【表３】
0003844348.tif 000004
【００２７】
上記表において、増粘剤とは、澱粉、多糖類、微生物ガム、セルロースなどである。
保湿剤とは、アミノ酸（たんぱく質）、多価アルコール、有機酸、多糖類、グリセリンなどである。
防腐剤とは、有機酸塩、パラオキシベンゼン、多価アルコール、界面活性剤などである。
誤食防止剤とは、安息香酸デナトニウム、唐辛子末、わさびなどである。
【００２８】
なお、本発明は、前述した実施形態に限定されるものではなく、適宜な変形、改良等が可能である。
例えば、吐出量を観測して吐出量が所定値に達したら押圧部材１５の移動を自動停止するようなストッパ手段を備えて、吐出量が常に一定となるようにしてもよい。
【００２９】
【発明の効果】
以上説明したように、本発明によれば、簡単な構成でありながら、使いやすく、高い害虫防除効果を奏する害虫用防除剤注入型処理器を提供できる。
【図面の簡単な説明】
【図１】本発明の一実施形態を示す概略側面図である。
【図２】容積可変容器の一例を示す図である。
【図３】容積可変容器の別の例を示す図である。
【図４】本発明の一実施形態を示す概略斜視図である。
【図５】実施例１の効果を示すグラフである。
【図６】実施例２の効果を示すグラフである。
【符号の説明】
１０            毒餌剤処理器（害虫用防除剤処理器）
１１，２１      容積可変容器
１３            本体
１４            前方指掛け部
１４ａ          第一部分
１４ｂ          第二部分
１５            押圧部材
１６            後方指掛け部
２２            目盛（表示手段）
２３            ピストン
【図１】
0003844348.tif 000005
【図２】
0003844348.tif 000006
【図３】
0003844348.tif 000007
【図４】
0003844348.tif 000008
【図５】
0003844348.tif 000009
【図６】
0003844348.tif 000010